(57)【特許請求の範囲】
【請求項１】
商用電源を整流する整流回路と、該整流回路よりの直流電圧が供給されるトランスの１次巻線と、該１次巻線に直列に接続されたスイッチング素子と、該スイッチング素子を制御する電源制御集積回路とを有し、前記トランスの２次巻線に得られる電圧を整流して出力直流電圧を得ると共に該出力直流電圧に応じた信号を前記電源制御集積回路に供給して前記出力直流電圧を一定にするようにしたスイッチングレギュレータにおいて、
前記整流回路の出力端子を電界効果トランジスタのドレインに接続し、前記電界効果トランジスタのソースを比較的小抵抗値の第１の抵抗器を介して前記電源制御集積回路の電源端子に接続し、前記整流回路の出力端子を比較的大抵抗値の第２の抵抗器を介して、前記電界効果トランジスタのゲートに接続し、前記第２の抵抗器及び前記電界効果トランジスタのゲートの接続点をトランジスタのコレクタに接続し、前記トランジスタのベースを第３の抵抗器を介して、前記電界効果トランジスタのソース及び前記第１の抵抗器の接続点に接続し、前記トランジスタのエミッタを前記電源制御集積回路の電源端子に接続し、前記トランスに補助巻線を設け、該補助巻線を補助整流回路及び前記トランジスタのベース・エミッタ間の電圧降下よりも大なる電圧降下を有する電圧降下素子の直列回路を介して前記電源制御集積回路の電源端子に接続すると共に前記補助整流回路及び前記電圧降下素子の接続点を前記電界効果トランジスタのソース及び前記第１の抵抗器の接続点に接続したことを特徴とするスイッチングレギュレータ。
【発明の詳細な説明】
【０００１】
【発明の属する技術分野】
本発明は、スイッチングレギュレータ及び商用電源電圧の異なる世界各国で使用できるようにした所謂電源フリーの電子機器の電源装置に使用して好適なスイッチングレギュレータに関する。
【０００２】
【従来の技術】
従来、スイッチングレギュレータとして図６に示す如きものが提案されている。
【０００３】
図６において、１は例えば１００Ｖ〜２４０Ｖの交流（ＡＣ）の商用電源に接続されるプラグを示し、このプラグ１に得られる商用電源をラインノイズ等を除去するフィルタ回路２を介して交流電圧を直流電圧に変換する整流回路３に供給する如くする。この整流回路３の出力端子を平滑用のコンデンサ４を介して接地する。
【０００４】
この整流回路３の出力端子に得られる直流電圧Ｖi を、トランス５の１次巻線５ａを介してスイッチング素子を構成するＮ形の電界効果トランジスタ６のドレインに接続し、この電界効果トランジスタ６のソースを接地する。
【０００５】
また、７は後述する出力直流電圧Ｖo を一定に制御する電源制御集積回路を示し、この電源制御集積回路７は例えば出力直流電圧Ｖo に応じた誤差信号に応じてパルス幅変調するパルス幅変調回路等より成り、このパルス幅変調信号を制御信号出力端子７ａよりスイッチング素子を構成する電界効果トランジスタ６のゲートに供給する。
【０００６】
また、整流回路３の出力端子に得られる直流電圧Ｖi を起動回路を構成する２個の抵抗器８及び９の直列回路を介して、この電源制御集積回路７の電源端子７ｃに供給する如くする。この抵抗器８及び９の抵抗値の和を例えば１００ｋΩとする。
【０００７】
また、トランス５に補助巻線５ｃを設け、この補助巻線５ｃの他端を接地し、この補助巻線５ｃの一端を整流用のダイオード１０を介して、この電源制御集積回路７の電源端子７ｃに接続すると共にこのダイオード１０及び電源端子７ｃの接続点を平滑用のコンデンサ１１を介して接地する。この電源制御集積回路７の接地端子７ｄを接地する。
【０００８】
また、トランス５の２次巻線５ｂの一端を整流用のダイオード１２を介して一方の直流電圧出力端子１３ａに接続すると共にこの２次巻線５ｂの他端を他方の直流電圧出力端子１３ｂに接続し、この２次巻線の他端を接地する。また、この２次巻線５ｂの一端及び一方の直流電圧出力端子１３ａの接続点を平滑用のコンデンサ１４を介して接地する。
【０００９】
また、一方の直流電圧出力端子１３ａを出力直流電圧Ｖo を検出する分圧用の２個の抵抗器１５及び１６の直列回路を介して接地すると共にこの抵抗器１５及び１６の接続点を比較回路を構成する演算増幅回路１７の非反転入力端子＋に接続し、この演算増幅回路１７の反転入力端子−を基準電圧ＶREF 源１８を介して接地する。
【００１０】
この演算増幅回路１７の出力側に得られる誤差信号をホトカプラ１９を構成する発光ダイオード１９ａのカソードに供給し、この発光ダイオード１９ａのアノードに一方の直流出力端子１３ａに得られる出力直流電圧Ｖo を供給し、この発光ダイオード１９ａをこの出力直流電圧Ｖo に応じた輝度で発光する如くする。
【００１１】
このホトカプラ１９を構成する受光トランジスタ１９ｂのコレクタを電源制御集積回路７の誤差信号入力端子７ｂに接続し、この受光トランジスタ１９ｂのエミッタを接地する如くする。
【００１２】
図６に示す如き、従来のスイッチングレギュレータの動作を図７を参照して説明する。時刻Ｔ0 で商用電源が供給されたときに、整流回路３の出力側には図７Ａに示す如き直流電圧Ｖi が得られ、このとき、起動回路を構成する抵抗器８及び９を介して、電源制御集積回路７の電源端子７ｃに起動電流Ｉ1 が供給されコンデンサ１１が充電され、この電源端子７ｃの電圧ＶS は図７Ｂに示す如く徐々に増大し、この電圧ＶS が所定電圧以上となった時刻Ｔ1 で、電源制御集積回路７の起動が開始し、スイッチング素子を構成する電界効果トランジスタ６がスイッチングを開始し、このとき補助巻線５ｃに電圧が誘起され、この誘起された電圧が整流回路を構成するダイオード１０及びコンデンサ１１で整流され、この整流回路より電流Ｉ2 が、この電源制御集積回路７の電源端子７ｃに供給される。
【００１３】
この時刻Ｔ1 での電源制御集積回路７の起動により、電力が消費され図７Ｂに示す如く電圧が降下するが、この補助巻線５ｃからの電圧が上昇し、時刻Ｔ2 よりこの電源端子７ｃに供給される電圧が上昇し、その後一定電圧となる。
【００１４】
一方、時刻Ｔ1 より、２次巻線５ｂにも電圧が誘起され、一方の直流出力端子１３ａに得られる出力直流電圧Ｖ0 が図７Ｃに示す如く上昇する。
【００１５】
このとき演算増幅回路１７の非反転入力端子＋にこの出力直流電圧Ｖ0 に応じた電圧が供給され、これが反転入力端子−に供給される基準電圧ＶREF と比較され、この演算増幅回路１７の出力側に得られる誤差信号がホトカプラ１９を介して、電源制御集積回路７の誤差信号入力端子７ｂに供給され、この演算制御集積回路７は出力直流電圧Ｖ0 が一定電圧になるように制御動作を行う。この場合、補助巻線５ｃから得られる直流電圧も安定し、電源端子７ｃに供給される直流電圧ＶS も安定化する。
【００１６】
【発明が解決しようとする課題】
斯る図６に示す如き、従来のスイッチングレギュレータにおいては起動回路を構成する抵抗器８，９を通して電源制御集積回路７の電源端子７ｃに供給している起動電流Ｉ1 は起動後も常に供給されている。
【００１７】
更に、近年、電源の仕様として世界各国の商用電源で使用できるように、入力交流電圧が１００Ｖ〜２４０Ｖと広くなっている。この場合、起動用の抵抗器８及び９の抵抗値の和を例えば１００ｋΩとしたときは、入力交流電圧が１００Ｖの場合、起動電流Ｉ1 は図３曲線ａに示す如く１ｍＡであり、また入力交流電圧が２４０Ｖの場合、起動電流Ｉ1 は例えば２．４ｍＡと増大する。
【００１８】
また、この起動電流Ｉ1 は本来は電源制御集積回路７の起動時のみ必要で、起動後は、補助巻線５ｃより動作電圧を供給するため、必要ないものとなる。
【００１９】
従って、この従来のスイッチングレギュレータのこの起動用の抵抗器８及び９の抵抗値の和を例えば１００ｋΩとしたときは、図４Ａに示す如く入力交流電圧が１００Ｖのときは、この電力損失は例えば０．１Ｗとなり、また入力交流電圧が２４０Ｖのときはこの電力損失が例えば０．５８Ｗと比較的大きくなる不都合があった。
【００２０】
本発明は斯る点に鑑み、起動後の電力損失を低減することを目的とする。
【００２１】
【課題を解決するための手段】
本発明スイッチングレギュレータは、商用電源を整流する整流回路と、この整流回路よりの直流電圧が供給されるトランスの１次巻線と、この１次巻線に直列に接続されたスイッチング素子と、このスイッチング素子を制御する電源制御集積回路とを有し、このトランスの２次巻線に得られる電圧を整流して出力直流電圧を得ると共にこの出力直流電圧に応じた信号をこの電源制御集積回路に供給してこの出力直流電圧を一定にするようにしたスイッチングレギュレータにおいて、この整流回路の出力端子を電界効果トランジスタのドレインに接続し、この電界効果トランジスタのソースを比較的小抵抗値の第１の抵抗器を介してこの電源制御集積回路の電源端子に接続し、この整流回路の出力端子を比較的大抵抗値の第２の抵抗器を介して、この電界効果トランジスタのゲートに接続し、この第２の抵抗器及びこの電界効果トランジスタのゲートの接続点をトランジスタのコレクタに接続し、このトランジスタのベースを第３の抵抗器を介して、この電界効果トランジスタのソース及びこの第１の抵抗器の接続点に接続し、このトランジスタのエミッタをこの電源制御集積回路の電源端子に接続し、このトランスに補助巻線を設け、この補助巻線を補助整流回路及びこのトランジスタのベース・エミッタ間の電圧降下よりも大なる電圧降下を有する電圧降下素子の直列回路を介してこの電源制御集積回路の電源端子に接続すると共にこの補助整流回路及びこの電圧降下素子の接続点をこの電界効果トランジスタのソース及びこの第１の抵抗器の接続点に接続したものである。
【００２２】
本発明によれば、電源制御集積回路の電源端子に、起動時は起動回路を構成するトランジスタによる定電流回路を介して動作電源を供給すると共に起動後は補助整流回路より動作電源を供給するようにしたので、起動時は入力交流電圧が変わっても電源制御集積回路の電源端子に供給される起動電流Ｉ1 は一定となり、また起動後はこの起動回路を不動作としているので、この起動回路の電力損失が極めて小さくなる。
【００２３】
【発明の実施の形態】
以下、図１を参照して本発明スイッチングレギュレータの実施の形態の例につき説明する。この図１につき説明するに、図６に対応する部分には同一符号を付して示す。
【００２４】
この図１例において、プラグ１を例えば１００Ｖ〜２４０Ｖの交流（ＡＣ）の商用電源に接続できる如くし、このプラグ１に供給される商用電源をラインノイズ等を除去するフィルタ回路２を介して交流電圧を直流電圧に変換する整流回路３に供給する如くする。この整流回路３の出力端子を平滑用のコンデンサ４を介して接地する。
【００２５】
この整流回路３の出力端子に得られる直流電圧Ｖi をトランス５の１次巻線５ａを介してスイッチング素子を構成するＮ形の電界効果トランジスタ６のドレインに接続し、この電界効果トランジスタ６のソースを接地する。
【００２６】
また、図１において、７は後述する出力直流電圧Ｖ0 を一定に制御する電源制御集積回路を示し、この電源制御集積回路７は例えば出力直流電圧Ｖ0 に応じた誤差信号に応じてパルス幅変調するパルス幅変調回路より成り、このパルス幅変調信号を制御信号出力端子７ａよりスイッチング素子を構成する電界効果トランジスタ６のゲートに供給する。
【００２７】
本例においては、整流回路３の出力端子に得られる直流電圧Ｖi を起動用定電流回路２０を介して、電源制御集積回路７の電源端子７ｃに供給する如くする。この電源端子７ｃを平滑用のコンデンサ１１を介して接地する。
【００２８】
この起動用定電流回路２０としては、この整流回路３の出力端子をＮ形の電界効果トランジスタ２０ａのドレインに接続し、この電界効果トランジスタ２０ａのソースを比較的小抵抗値例えば６００Ωの抵抗器２０ｂを介して電源制御集積回路７の電源端子７ｃに接続し、また、整流回路３の出力端子を比較的大抵抗値例えば１ＭΩの抵抗器２０ｃを介して、この電界効果トランジスタ２０ａのゲートに接続し、この抵抗器２０ｃ及びこのゲートの接続点をｎｐｎ形トランジスタ２０ｄのコレクタに接続し、このトランジスタ２０ｄのベースを抵抗器２０ｅを介して、電界効果トランジスタ２０ａのソース及び抵抗器２０ｂの接続点に接続し、このトランジスタ２０ｄのエミッタを電源制御集積回路７の電源端子７ｃに接続したものである。
【００２９】
斯る、起動用定電流回路２０においては、抵抗器２０ｃを介して電界効果トランジスタ２０ａのゲートに電圧が供給されたときに、この電界効果トランジスタ２０ａがオンする。この電界効果トランジスタ２０ａがオンすると、抵抗器２０ｂに電流が流れ、この電流が電源制御集積回路７の電源端子７ｃに供給される。
【００３０】
この場合、この抵抗器２０ｂと電界効果トランジスタ２０ａのソースとの接続点をトランジスタ２０ｄのベースに接続しているので、このトランジスタ２０ｄのベースがこの抵抗器２０ｂに流れる電流量を検出することとなる。このトランジスタ２０ｄはこのトランジスタ２０ｄのエミッタ・ベース間電圧Ｖb が例えば０．６Ｖとなるとオンする。
【００３１】
このことより、電界効果トランジスタ２０ａがオンすることにより流れる電流Ｉ1 は抵抗器２０ｂを通して電源制御集積回路７の電源端子７ｃに供給される。この電流Ｉ1 は抵抗器２０ｂで電流検出され、このトランジスタ２０ｄのエミッタ・ベース間電圧Ｖb が０．６Ｖとなったところで、トランジスタ２０ｄがオンし、この電界効果トランジスタ２０ａのゲートの電圧は低下する。
【００３２】
この電界効果トランジスタ２０ａのゲートの電圧が低下すると、この電界効果トランジスタ２０ａはオンからオフの状態に変化する。即ちトランジスタ２０ｄのエミッタ・ベース間電圧Ｖb が０．６Ｖで一定となるように電界効果トランジスタ２０ａのオン状態が制御されることとなる。このトランジスタ２０ｄのエミッタ・ベース間電圧Ｖb が０．６Ｖで一定ということは、
Ｉ1 ＝Ｖb ／ｒb 
が成り立ち、Ｉ1 は一定の電流となる。ここでｒb は抵抗器２０ｂの抵抗値例えば６００Ωで固定である。
【００３３】
従って、プラグ１に供給される商用電源の交流電圧が１００Ｖ〜２４０Ｖであっても、この起動用定電流回路２０を介して電源制御集積回路７の電源端子７ｃに供給される起動電流Ｉ1 は図３の曲線ｂに示す如く、例えば１ｍＡで一定となる。
【００３４】
また、本例においては、トランス５に補助巻線５ｃを設け、この補助巻線５ｃの他端を接地し、この補助巻線５ｃの一端を補助整流回路を構成する整流用のダイオード１０と切換手段２１を構成する電圧降下素子である２個のダイオード２１ａ，２１ｂとの直列回路を介して、この電源制御集積回路７の電源端子７ｃに接続すると共にこのダイオード１０及び２１ａの接続点を平滑用のコンデンサ２２を介して接地する。
【００３５】
この場合、この補助巻線５ｃ、ダイオード１０及びコンデンサ２２により電源供給回路を構成する。即ち、トランス５の１次巻線５ａのスイッチングにより、補助巻線５ｃに電圧が誘起されたときは、この誘起された電圧をダイオード１０及びコンデンサ２２で整流して電源として電源制御集積回路７の電源端子７ｃに供給する。
【００３６】
本例においては、このダイオード１０及びダイオード２１ａの接続点を起動用定電流回路２０の電界効果トランジスタ２０ａのソース及び抵抗器２０ｂの接続点に接続する。
【００３７】
この場合、ダイオード２１ａ及び２１ｂの夫々の順方向降下電圧Ｖf は夫々０．６Ｖであり、このダイオード１０及び２１ａの接続点の電圧ＶS2は電源端子７ｃの電圧ＶS1に比し２Ｖf 例えば１．２Ｖ高い電圧となる。この電圧ＶS2とＶS1との電圧差が２Ｖf 例えば１．２Ｖとなったときは、トランジスタ２０ｄのエミッタ・ベース間電圧Ｖb が０．６Ｖ以上となるので、このトランジスタ２０ｄはオンのままとなり、電界効果トランジスタ２０ａのゲートの電圧は低下し、この電界効果トランジスタ２０ａはオフのままとなる。
【００３８】
この電源制御集積回路７の接地端子７ｄを接地する。
【００３９】
また、トランス５の２次巻線５ｂの一端を整流用のダイオード１２を介して一方の直流電圧出力端子１３ａに接続すると共にこの２次巻線５ｂの他端を他方の直流電圧出力端子１３ｂに接続し、この２次巻線５ｂの他端を接地する。また、この２次巻線５ｂの一端及び一方の直流電圧出力端子１３ａの接続点を平滑用のコンデンサ１４を介して接地する。
【００４０】
また、一方の直流電圧出力端子１３ａを出力直流電圧Ｖ0 を検出する分圧用の２個の抵抗器１５及び１６の直列回路を介して接地すると共にこの抵抗器１５及び１６の接続点を比較回路を構成する演算増幅回路１７の非反転入力端子＋に接続し、この演算増幅回路１７の反転入力端子−を基準電圧ＶREF 源１８を介して接地する。
【００４１】
この演算増幅回路１７の出力側に得られる誤差信号をホトカプラ１９を構成する発光ダイオード１９ａのカソードに供給し、この発光ダイオード１９ａのアノードにこの一方の直流出力端子１３ａに得られる出力直流電圧Ｖ0 を供給し、この発光ダイオード１９ａをこの出力直流電圧Ｖ0 に応じた輝度で発光する如くする。
【００４２】
このホトカプラ１９を構成する受光トランジスタ１９ｂのコレクタをこの電源制御集積回路７の誤差信号入力端子７ｂに接続し、この受光トランジスタ１９ｂのエミッタを接地する如くする。
【００４３】
上述本例によるスイッチングレギュレータの動作を図２を参照して説明する。時刻Ｔ0 で、こプラグ１に商用電源が供給されたときに、整流回路３の出力側には図２Ａに示す如き、直流電圧Ｖi が得られ、このとき起動用定電流回路２０を構成する電界効果トランジスタ２０ａのゲートに抵抗器２０ｃを通して電圧が供給され、この電界効果トランジスタ２０ａがオンし、この電界効果トランジスタ２０ａ及び抵抗器２０ｂを通して電源制御集積回路７の電源端子７ｃに一定の起動電流Ｉ1 が供給され、コンデンサ１１が充電され、この電源端子７ｃの電圧（トランジスタ２０ｄのエミッタ電圧）ＶS1は図２Ｂの一点鎖線で示す如く徐々に増大し、この電圧ＶS1が所定電圧以上となった時刻Ｔ1 で電源制御集積回路７の起動が開始し、スイッチング素子を構成する電界効果トランジスタ６がスイッチングを開始し、このとき補助巻線５ｃに電圧が誘起され、この誘起された電圧が電源供給回路即ち整流回路を構成するダイオード１０及びコンデンサ２２で整流され、この整流回路より電流Ｉ2 が切換手段２１を構成するダイオード２１ａ，２１ｂを介して電源制御集積回路７の電源端子７ｃに供給される。
【００４４】
この時刻Ｔ1 での電源制御集積回路７の起動により、電圧が消費され図２Ｂに示す如く、電圧ＶS1が降下するが、この補助巻線５ｃからの電圧が上昇し、時刻Ｔ2 よりこの電源端子７ｃに供給される電圧ＶS1が上昇し、その後、一定電圧となる。
【００４５】
この場合、図２Ｂの実線に示す如きダイオード１０及び２１ａの接続点の電圧（トランジスタ２０ｄのベースの電圧）ＶS2と電源端子７ｃの電圧ＶS1との電圧差が２個のダイオード２１ａ，２１ｂの順方向降下電圧２Ｖf 例えば１．２Ｖとなったときはトランジスタ２０ｄがオンのままとなり電界効果トランジスタ２０ａのゲートの電圧が低下し、この電界効果トランジスタ２０ａがオフとなり、この起動用定電流回路２０が不動作となる。
【００４６】
即ち、電界効果トランジスタ２０ａのドレインの電圧Ｖd は図２Ａの一点鎖線で示す如く、この起動用定電流回路２０が動作時は低い電圧であるが、不動作時は直流電圧Ｖi に近い高い電圧となる。
【００４７】
また、この場合、起動用定電流回路２０が動作中はプラグ１に供給される商用電源の交流電圧値に係わらずこの電源制御集積回路７の電源端子７ｃに供給する起動電流Ｉ1 は一定である。
【００４８】
一方、時刻Ｔ1 より、２次巻線５ｂにも電圧が誘起され、一方の直流出力端子１３ａに得られる出力直流電圧Ｖ0 が、図２Ｃに示す如く上昇する。
【００４９】
このとき演算増幅回路１７の非反転入力端子＋にこの出力直流電圧Ｖ0 に応じた電圧が供給され、これが反転入力端子−に供給される基準電圧ＶREF と比較され、この演算増幅回路１７の出力側に得られる誤差信号がホトカプラ１９を介して電源制御集積回路７の誤差信号入力端子７ｂに供給され、この電源制御集積回路７は出力直流電圧Ｖ0 が一定電圧になるように制御動作を行う。
この場合、補助巻線５ｃから得られる直流電圧も安定し、電圧ＶS1及びＶS2も安定化する。
【００５０】
斯る、本例によれば電源制御集積回路７の電源端子７ｃに、起動時は整流回路３よりの直流電圧Ｖi を起動用定電流回路２０を介して動作電源を供給すると共に起動後は、補助巻線５ｃよりの電圧を電源供給回路を介して動作電源として供給するようにしているので、起動時は入力交流電圧が例えば１００Ｖ〜２４０Ｖと変わっても、図３曲線ｂに示す如くこの電源制御集積回路７の電源端子７ｃに供給する起動電流Ｉ1 は一定例えば１．０ｍＡとなる。
【００５１】
また、本例によれば、この電源制御集積回路７の起動後は、この起動用定電流回路２０を不動作としているので、この起動用定電流回路２０のこの起動後の電力損失は図４Ｂに示す如く極めて小さく、入力交流電圧が１００Ｖのときは、この電力損失が例えば０．００６Ｗとなり、また入力交流電圧が２４０Ｖのときは、この電力損失が例えば０．０４８Ｗであった。
【００５２】
また、図５は本発明の実施の形態の他の例を示す。この図５例につき説明するに図１例に対応する部分には同一符号を付し、その詳細説明は省略する。
【００５３】
この図５例においては図１例の切換手段２１を例えば０．８Ｖ以上のツェナー電圧を有するツェナーダイオード２１ｃで構成するようにしたものである。即ちトランス５の補助巻線５ｃの一端を整流用のダイオード１０及び切換手段２１を構成するツェナーダイオード２１ｃの直列回路を介して電源制御集積回路７の電源端子７ｃに接続すると共にこのダイオード１０及びツェナーダイオード２１ｃの接続点を起動用定電流回路２０を構成する電界効果トランジスタ２０ａのソース及び抵抗器２０ｂの接続点に接続する。その他は図１と同様に構成する。
【００５４】
斯る図５例においても、図１例と同様の作用効果が得られることは容易に理解できよう。
【００５５】
尚、本発明は上述例に限らず本発明の要旨を逸脱することなく、その他種々の構成が採り得ることは勿論である。
【００５６】
【発明の効果】
本発明によれば、電源制御集積回路の電源端子に、起動時は起動回路を構成するトランジスタによる定電流回路を介して動作電源を供給すると共に起動後は補助整流回路より動作電源を供給するようにしたので、起動時は入力交流電圧が変わっても電源制御集積回路の電源端子に供給される起動電流Ｉ1 は一定となり、また起動後はこの起動回路を不動作としているので、この起動回路の電力損失が極めて小さくなる利益がある。
【図面の簡単な説明】
【図１】本発明スイッチングレギュレータの実施の形態の例を示す構成図である。
【図２】図１例の説明に供する線図である。
【図３】本発明の説明に供する線図である。
【図４】本発明の説明に供する線図である。
【図５】本発明の実施の形態の他の例を示す構成図である。
【図６】従来のスイッチングレギュレータの例を示す構成図である。
【図７】図６の説明に供する線図である。
【符号の説明】
１‥‥プラグ、３‥‥整流回路、４，１１，１４，２２‥‥コンデンサ、５‥‥トランス、５ａ‥‥１次巻線、５ｂ‥‥２次巻線、５ｃ‥‥補助巻線、６，２０ａ‥‥電界効果トランジスタ、７‥‥電源制御集積回路、７ａ‥‥制御信号出力端子、７ｂ‥‥誤差信号入力端子、７ｃ‥‥電源端子、１０，１２‥‥整流用のダイオード、１３ａ，１３ｂ‥‥直流出力端子、１５，１６，２０ｂ，２０ｃ‥‥抵抗器、１７‥‥演算増幅回路、１８‥‥電池、１９‥‥ホトカプラ、２０‥‥起動用定電流回路、２１‥‥切換手段、２１ａ，２１ｂ‥‥ダイオード、２１ｃ‥‥ツェナーダイオード
【図１】
0004114238.tif 000002
【図２】
0004114238.tif 000003
【図３】
0004114238.tif 000004
【図４】
0004114238.tif 000005
【図５】
0004114238.tif 000006
【図６】
0004114238.tif 000007
【図７】
0004114238.tif 000008